(57)【特許請求の範囲】
【請求項１】
蓋付きのケース内に、ケース側壁に傾斜状態で保持板Ｈ１を固着し、保持板Ｈ１には、上部に複数のカーブＣ１、及び、下部に複数のカーブＣ２が形成されてされており、該上部のカーブＣ１と下部のカーブＣ２の最も窪んだ部位が互いに対向した位置関係となっており、最も窪んだ部位と部位の間それぞれには、レール板が間隙を開けて設けられ、レール板は、保持板Ｈ１に対して垂直に立設する垂直板Ｈａと当該垂直板Ｈａの上部に設けられた横板Ｈｂとで構成され、該横板Ｈｂは、ケースの蓋を閉じたときに横板Ｈｂ上面がケースの蓋に密着するように設けられており、前記レール板同士の間隙に、ルアーのアームを入れることでルアーを保持し得るように構成し、保持したルアーがレール板によって仕切られることで複数のルアーを整然と並べて収納可能としたアーム付きルアーの収納ケース。
【発明の詳細な説明】
【技術分野】
【０００１】
本発明は、釣具用のフックカバーとルアーケースをユニット式の構成を採用した。ユニット式釣具フックカバー兼収納ケースに関する。
【背景技術】
【０００２】
従来はルアーにフックを設けた構成のルアーにブレード又はプロペラからアームを介して重り及びラバースカートなどを設けた構成のルアーがあります。これらの専用のケースが様々な形のケースが合ってスペースの問題それらのケースをまとめて収納するボックスが大きくなるコンパクト化の問題が考えられる。
【０００３】
従来の収納ケースは様々なルアーの特徴を捉えることによって必要のない領域が存在する。専用ケース内に出来る無駄な領域があるスペースの問題が考えられる。
【０００４】
なお、先行技術を調査した結果次のような文献（１）、（２）、（３）、（４）が挙げられるので以下に概述する。文献（１）は、特開２０００ー３００１３８の釣り針用カバーは一対の釣り針全体を包み込むケース型の構成で一対の釣り針を両カバー構成材における結合境界部分の少なくとも一箇所で釣り針の軸を挿通する通行が形成可能とされる釣り針用カバーで取り扱いの容易さと様々な釣り針の収納する等を意図する。文献（２）は特開０８ー２１４７４９の釣り用ルアーケースは、複数の通し溝を形成した係止め板と複数の挟み溝を形成した保持体とを収納するルアーの大きさに応じて適宜間隔をおいてケース本体に装着されるルアーが移動しないように収納が出来ることから見易い状態でルアーの保護とルアー同士が絡みあわないことを意図する。文献（３）特開２００３ー２８９７７８釣り用ルアーケースはケース本体にルアー室がありその前面側が奥面側より上方に位置する構成でありルアー室には、スリットを備えた区画板と奥面側に水抜き穴を設けた構成でルアーを一個ずつ見やすい状態でルアーの保護とルアーの出し入れの容易と湿気対策などを意図する。文献（４）は、特開２００３ー３１０１２６の釣り用のルアーケースはケース本体とケース本体に上下係止め手段を介して収容されるルアー係止体とで構成し、ルアー係止体を底付き係止溝を備えた山形状頂面と、山形状頂面より垂設された多数の長孔を備える一面側板と山形状頂面より垂設された他面側板とで構成する。アーム及びまたは針を支持する長孔を備える一面側板を設けてルアーの簡易に収容と絡みに整列などを意図する。
【特許文献１】特開２０００ー３００１３８
【特許文献２】特開０８ー２１４７４９
【特許文献３】特開２００３ー２８９７７８
【特許文献４】特開２００３ー３１０１２６
【発明の開示】
【発明が解決しようとする課題】
【０００５】
文献（１）、（２）、（３）、（４）の前記した問題は、１箇のルアーによって取扱いの問題と１箇のルアーの型によってケースを探す不便の問題と専用ケースにおいて無駄なスペースが取扱者によって生じてしまう問題と釣り道具は釣り道具であり芸術品でもあるルアーをケースに収納でなく観賞するための道具に変化する問題が考えられます。
【０００６】
次に本発明を提案した。ユニット式釣具フックカバー兼収納ケースの改良技術としてあげた文献（１）、（２）、（３）、（４）に関しても課題があるので個別に説明する。
【０００７】
文献（１）は、１対の針にカバーを取り付けるのは、不便が考えられる。
【０００８】
文献（２）は、ルアーの取出しは容易だが取扱いは針があるので不便がある。また針が係止め板に当たるので針の保護が出来ない。専用のケースでありまたこのケースを収納するボックスを探す不便が考えられる。
【０００９】
文献（３）は、ルアー室が傾斜しているためにルアーが梃子となって奥のフックが区画板に接触して取出しが困難で人の指が入らなければ小型のルアーが取り出せずルアー室を多段多数増やせばその分取出しとルアー室の中央に位置するルアーの全体の確認は不便が比例する。また取扱いでは針があるので不便が考えられる。それに１箇ずつルアー室を出してルアーを取り出すのも面倒であり、そのルアー室一面が一体であればなおさら不便であることが考えられる。
【００１０】
文献（４）は、垂直整列されることは取り出し入れに対するスペースが大きいことから無駄なスペースが考えられる。
【課題を解決するための手段】
【００１１】
本発明は、上記課題を解決するために次のような技術的手段を採る。
【００１２】
請求項１の発明は、ラベルに記入していればルアーの確認が容易とユニットによって組み替えれば観賞台として仕様に使用後濡れたルアーを乾かす台と解体すれば掃除も出来ることとスペースの有効利用と天びんで重りのついた所を考えてケースから手を使わずに取り扱いやすい位置に来ることで収納されたルアーが２ヶ所の軸によって飛び出すことと凹凸を最小限にした箱形状にすることで多数のユニット式釣具フックカバー兼収納ケースを所持してもまとめやすいことを意図する。
【発明の効果】
【００１３】
以上説明したように本発明者も、この種のユニット式釣具フックカバー兼収納ケースを使用して重宝しています。その理由は釣場に持って行かないルアーや大切なルアーを自宅で観賞用として飾っていること、釣り場では前もってまとめてあるので取扱易いことを意図する。取扱者によっては一個づつ収納でなく専用ケースに収納でもなくコンパクトにした手の平サイズによってポケットに入れていくことが出来るために不要な行動がなく扱いやすいことを意図する。
【発明を実施するための最良の形態】
【００１４】
以下、本発明の好適な一実施形態を添付図面に従って説明する。
【００１５】
図１よりルアーブレード（Ｒａ）のダウンアーム中心軸（y）とアッパーアーム中心軸（ｘ）が交差する中心軸交点（Ｏ）で収納を考える。図２、３、４よりダウンアームを軌道部に入れるその時アッパーアームは保持体裏面に行く図２のカーブ１（Ｃ１）に中心軸交点（Ｏ）でダウンアームとアッパーアームの中心軸（ｘｙ）が重なった状態から収納するときカーブ３（Ｃ３）によって収納が容易になることから図１のルアーブレード（Ｒａ）がケースから手を使わずにケースを傾けることで図２より中心軸交点（Ｏ）がカーブ１（Ｃ１）に行ってさらにケースを傾けることで矢印のように移動するのでカーブ３（Ｃ３）が軌道部（５０）へ導く。よって取り出し入れは容易です。図２より保持板（Ｈ１）はダウンアームの中心軸がケースの平行以上で図４の位置で軌道部（５０）の数に応じてカーブ２（Ｃ２）も同じで形成と左右レール板Ｌ型Ａ（Ｈ２、Ｈ３）と複数のレール板Ｔ型Ａ（Ｈ４）によって出来る軌道部はダウンアームの厚さ（Ｒａーａ）に応じると共にスプリットリングの幅（Ｓーｃ）も応じる適応間隔で左右レール板Ｌ型Ａ（Ｈ２、Ｈ３）とレール板Ｔ型Ａ（Ｈ４）を形成する。さらに保持板（Ｈ１）と一体に形成した構成を保持体（Ｈ）です。保持体（Ｈ）を背面視すると保持板から上方へ山形状にレール板Ｔ型Ａ（Ｈ４）並びに左右レール板Ｌ型Ａ（Ｈ２、Ｈ３）も同形でカーブ３（Ｃ３）が設けている。図４より、この保持体（Ｈ）はルアーブレード用保持板付レール板集合体（Ｐ１）に備わる。
【００１６】
図５、６、７、８より、保持体（Ｈ）がルアープロペラ（Ｒｂ）を収納では前記載に対して反比する。それはルアーブレード（Ｒａ）のダウンアームに重りがあって移動を考えたので、ルアープロペラはアッパーアームが重いので、保持体（Ｈ）は反比で考えられるが、図５よりＺの位置にプロペラを軸にヘッド（Ｒｂ２）が移動してそこを側面視したのが図６で、この状態で保持体α型を進入させる。ここでは注意点として、フィンの角度（Ｒｂ１００）に対してプロペラの中心軸に基づいて保持板中心（Ｈ１ーａ）によって出来る角度はフィンの角度に応じるとともにプロペラからアームを介した角度にも応じてルアープロペラ用保持板付レール板集合体（Ｐ２）の図８より適応の位置に設定して一体に形成した構成図です。
【００１７】
図９より、前記載の下部（２）を２分した下部前（２Ａ）と下部後（２Ｂ）に図１０よりルアーフック用レール板集合体（１Ａ）と容器（Ｐ３）に図１１よりルアーブレード用保持板付レール板集合体（Ｐ１）とルアープロペラ用保持板付レール板集合体（Ｐ２）に図１２よりロック（５）と蓋（４）とホールド（６）以上をまとめたのが図１３でこれより説明をする。
板チョコレートを折るようにしてケースから飛び出すために下部前（２Ａ）と下部後（２Ｂ）を形成する。下部前の凸部（３００）はルアーフック用レール板集合体とルアーブレード用保持板付レール板集合体とルアープロペラ用保持板付レール板集合体と容器は共通で凹部（４００）と枢着すると同様に下部後の凸部（６００）は凹部（５００）と枢着する。そしてルアーフック用レール板集合体（１Ａ）に対応のラベル（３Ａ）の備えと下部前の凸部（１００）とロック（５）の凹部（２００）と枢着する。このときの枢着時は下部前（２）の側厚は２層になっておりロック（５）と組み合う部分は側厚１層になっていて組み合えば格納内がすっきりした状態になる。そして複数のルアー（５）の後方を固定するためのルアーフック用レール板集合体（１Ａ）の凹部（７００）とホールド（６）の凸部（８００）が枢着する。
ホールド（６）には弾力部材（６ーａ）が設けてあることからルアー（５）の固定で整列が出来る。次にルアーブレード用保持板付レール板集合体とルアープロペラ用保持板付レール板集合体と容器に対応の下部前（２Ａ）と枢着する蓋（４）が組み合うことで、フックカバー２（ＦＡ）とルアーブレード収納ケース（ＦＡ１）とルアープロペラ収納ケース（ＦＡ２）とルアーフリー収納ケース（ＦＡ３）の４タイプでスペース解消とコンパクト化に観賞用に多目的に合理化した。
【００１８】
図１４より、ルアーブレード収納ケース（ＦＡ１）、ルアープロペラ収納ケース（ＦＡ２）ルアーフリー収納ケース（ＦＡ３）に共通する下部前（２Ａ）と蓋（４）の働きはこの状態は閉まった状態で凸部（４ーａ）と凸部（２Ａーａ）で固定されている。蓋（４）を開ければ凸部（４ーａ）が凸部（２Ａーａ）を越える。閉まるときの働きも同じです。次にフックカバー２（ＦＡ）の下部前に組み合った状態は、フックカバー１（Ｆ）と同じで、閉まった状態から凸部（２ーｂ、５ーａ）は、凸部（１ーｂ、１Ａーａ）を越えて開くその時に軌道口（４１）閉ざした爪（２ーｃ、５ーｂ）も同様で開く。閉まるときは凸部（２ーｂ、５ーａ）が凸部（１ーｂ、１Аーａ）を越えて固定されると同時に爪（２ーｃ、５ーｂ）が軌道口（４１）を閉ざす。
【００１９】
図１５より、ルアーブレード用保持板付レール板集合体（Ｐ１）ルアープロペラ用保持板付レール板集合体（Ｐ２）容器（Ｐ３）の容積を広くするときの形成は下部後（２Ｂ）と枢着する所から大きくする。
大きくした中央部の側面は、開閉時の必要領域を除く下部後（２Ｂ）と合わせる。そして蓋（４）も大きくなります。
【実施例１】
【００２０】
請求項１の記載のユニット式釣具フックカバー兼収納ケースはフックのサイズによって規格されたユニット式釣具フックカバー兼収納ケースは、ルアーに応じる専用ケースを収納するケースを考えずに３タイプのルアーをユニット式釣具フックカバー兼収納ケースは、規格に応じることでコンパクト化でありスペースの無駄を無くしたことを意図する。
【００２１】
請求項１の記載のユニット式釣具フックカバー兼収納ケースを拡張するのはルアーの大きさに応じるそこで全ユニットの正面なら背面と平面なら背面と右側面なら左側面が同寸法であれば両面を接合して一体に構成することで板チョコレートを折るようにルアーが出せることを可能する。
【図面の簡単な説明】
【００２２】
【図１】ルアーブレードの一例を説明する平面視した構成図
【図２】保持板の一例を説明する平面視した構成図
【図３】保持体の一例を説明する平面視した構成図
【図４】ルアーブレード用保持板付レール板集合体の一例を説明する側面視した構成図
【図５】ルアープロペラの一例を説明する正面視した構成図
【図６】図５よりＺーＺの位置にＲｂ２移動させてルアープロペラの一例を説明する側面視した構成図
【図７】保持体α型の一例を説明する側面視した構成図
【図８】ルアープロペラ用保持板付レール板集合体の一例を説明する側面視した構成図
【図９】下部前、下部後の多方面視した構成図
【図１０】容器とルアーフック用レール板集合体を多方面視した構成図
【図１１】ルアーブレード用保持板付レール板集合体とルアープロペラ用保持板付レール板集合体を多方面視した構成図
【図１２】ロック、蓋、ホールドを多方面視した構成図
【図１３】ユニット式釣具フックカバー兼収納ケースを側面視した分解説明図
【図１４】開閉部の固定を説明する多方面視した略断面構成図
【図１５】容積を拡張の一例を説明する側面視と平面視した略構成図
【符号の説明】
【００２３】
３Ａ、ラベル              ４、蓋                ５、ロック
４ーａ、凸部              Ｐーａ、蓋の必要とする領域
５ーａ、凸部              ５ーｂ、爪
６、ホールド              ６ーａ、弾力部材
１０、レール板Ｔ型        １０ーａ、レール板Ｔ型の幅
１０ーｂ、左右レール板Ｌ型の幅                  ２０、左レール板Ｌ型
３０、右レール板Ｌ型
４０、軌道部              ４１、軌道
５０、軌道部              ５１、軌道
１Ａ、ルアーフック用レール板集合体              １Ａーａ、凸部
２Ａ、下部前              ２Ａーａ、凸部        ２Ａーｂ、連結板
２Ｂ、下部後              ２Ｂーａ、枢着板の必要領域
２Ｂーｂ蓋の必要領域
１００、凸部      ２００、凹部      ３００、凸部      ４００、凹部
５００、凹部      ６００、凸部      ７００、凹部      ８００、凸部
Ｍ、事前格納空間
Ｐ１、ルアーブレード用保持板付レール板集合体
Ｐ２、ルアープロペラ用保持板付レール板集合体
ＦＡ、フックカバー２      Ｐ３、容器
ＦＡ１、ルアーブレード収納ケース
ＦＡ２、ルアープロペラ収納ケース
ＦＡ３、ルアーフリー収納ケース
Ｚ、ルアープロペラのプロペラを中心軸でヘッドが移動した位置
Ｒｂ、ルアープロペラ      Ｒｂ１、プロペラ      Ｒｂ２、ヘッド
Ｒｂａ、ルアープロペラ用保持板付レール板集合体の容積の高さ
Ｒｂｂ、ダウンアームの厚さ
Ｒｂ１０、プロペラの中心軸      Ｒｂ１００、フィンの角度
Ｈα、保持体α型
Ｈ１ーａ、保持板中心            Ｈαー１、保持体α型の進入箇所
０、中心軸交点
ｘ、アッパーアーム中心軸        ｙ、ダウンアーム中心軸
Ｒａ、ルアーブレード
Ｒａーａ、ダウンアームの厚さ    Ｒａ１、ブレード
Ｃ１、カーブ１            Ｃ２、カーブ２        Ｃ３、カーブ３
Ｈ１、保持板
Ｈ２、右レール板Ｌ型Ａ          Ｈ３、左レール板Ｌ型Ａ
Ｈ４、レール板Ｔ型Ａ
Ｈ、保持体            Ｈａ、垂直板 Ｈｂ、横板
【図１】
0003713601.tif 000002
【図２】
0003713601.tif 000003
【図３】
0003713601.tif 000004
【図４】
0003713601.tif 000005
【図５】
0003713601.tif 000006
【図６】
0003713601.tif 000007
【図７】
0003713601.tif 000008
【図８】
0003713601.tif 000009
【図９】
0003713601.tif 000010
【図１０】
0003713601.tif 000011
【図１１】
0003713601.tif 000012
【図１２】
0003713601.tif 000013
【図１３】
0003713601.tif 000014
【図１４】
0003713601.tif 000015
【図１５】
0003713601.tif 000016